(57)【要約】【課題】攪拌装置に絞り出し手段を設けることで、攪拌装置と共に絞り出し手段を移動させることが出来、また作業現場においてフィルムパックから粘性材料等を効率良く、しかも確実に絞り出して使い切ることが出来、更に産業廃棄物削減にも大きく貢献することが出来る粘性材料の攪拌装置を提供する。【解決手段】絞り出し手段１２は、支持軸１３と一体的に形成されたフィルムパック１１の支持ベース部材１４と、この支持ベース部材１４に一端側がヒンジ部１５を介して水平方向に開閉可能な挟持部材１６とで構成してあり、挟持部材１６の他端側には、支持ベース部材１４に対して挟持部材１６を固定する止めがね１７が取付けられている。この実施形態では、挟持部材１６として、支持軸１８に回転可能に挿通されたローラ１９により構成してある。また、６は従来と同様な支持軸１３に固定された攪拌翼を示している。【選択図】  図１
2006282275.tif 000002
【特許請求の範囲】
【請求項１】
装置の支持台上に、粘性材料を収容した容器を回転させる回転テーブルと、容器内の粘性材料を攪拌する支持軸と攪拌翼とで構成された攪拌手段とを設置して成る粘性材料の攪拌装置において、
前記攪拌手段に、フィルムパックされた粘性材料を絞り出す絞り出し手段を設けたことを特徴とする粘性材料の攪拌装置。
【請求項２】
前記絞り出し手段は、前記支持軸にフィルムパックの支持ベース部材と、この支持ベース部材に開閉可能な挟持部材とで構成した請求項１に記載の粘性材料の攪拌装置。
【請求項３】
前記挟持部材を、ローラにより形成した請求項２に記載の粘性材料の攪拌装置。
【請求項４】
前記絞り出し手段を、板バネ材料により開閉可能なクリップ状に形成した請求項１に記載の粘性材料の攪拌装置。
【請求項５】
前記絞り出し手段は、前記攪拌手段の支持軸の一部にフィルムパックを挿通させて粘性材料の絞り出し可能なスリットを形成した請求項１に記載の粘性材料の攪拌装置。
【発明の詳細な説明】
【技術分野】
【０００１】
この発明は、２液性シーリング材等の粘性材料の攪拌装置に係わり、更に詳しくは攪拌装置にフィルムパックされた粘性材料を絞り出すための絞り出し手段を設けた粘性材料の攪拌装置に関するものである。
【背景技術】
【０００２】
一般に２液性シーリング材は、主剤を収納した容器（缶）と、硬化剤及びカラーマスターをそれぞれ封入したフィルムパックとがセットになっており、そして使用直前に、フィルムパックの一辺を切断して容器中に絞り出し、攪拌装置により十分に混合して使用するものである。
【０００３】
従来の攪拌装置１は、図１５に示すように、装置の支持台２上に、粘性材料Ｗを収容した容器３を回転させる回転テーブル４と、容器３内の粘性材料Ｗを攪拌する支持軸５と攪拌翼６とで構成された攪拌手段７とが設置されている。また、フィルムパックされた硬化剤及びカラーマスター等を絞り出す絞り出し装置は、攪拌装置１とは別の装置になっている（例えば、特許文献１参照）。
【０００４】
ところで、絞り出し装置を使用しない場合、２液性シーリング材の使用時に、硬化剤及びカラーマスターを開封して主剤を収納した容器３内へ絞り出す作業には、多くの手間と時間がかかり、また完全に絞り出せないのが現状である。また、硬化剤等が高粘度である場合には、フィルムパックすることが出来ず、容器に入れたものを使用する場合には、その容器からへら等を使用して掻き出すものもあり、近年の産業廃棄物の削減には貢献出来ていないのが現状であり、更に缶等の容器を使用する場合には、フィルムパックに比較して高価となる問題があった。
【０００５】
また、上記のような攪拌装置１とは別に絞り出し装置を用いてフィルムパックされた硬化剤及びカラーマスター等を絞り出す場合、絞り出し装置は攪拌装置１と常に対となって持ち運ぶ必要があり、多くの手間と時間がかかると言う問題があった。
【特許文献１】特開平６−１９１５６３号公報
【発明の開示】
【発明が解決しようとする課題】
【０００６】
この発明はかかる従来の問題点に着目し、攪拌装置に絞り出し手段を設けることで、攪拌装置と共に絞り出し手段を移動させることが出来、また作業現場においてフィルムパックから粘性材料等を効率良く、しかも確実に絞り出して使い切ることが出来、更に産業廃棄物削減にも大きく貢献することが出来る粘性材料の攪拌装置を提供することを目的とするものである。
【課題を解決するための手段】
【０００７】
この発明は上記目的を達成するため、攪拌手段に、フィルムパックされた粘性材料を絞り出す絞り出し手段を設けたことを要旨とするものである。
【０００８】
ここで、前記絞り出し手段は、前記支持軸にフィルムパックの支持ベース部材と、この支持ベース部材に開閉可能な挟持部材とで構成し、挟持部材は、ローラにより形成するものである。また、前記絞り出し手段は、板バネ材料により開閉可能なクリップ状に形成することも可能である。更に、前記絞り出し手段は、前記攪拌手段の支持軸の一部にフィルムパックを挿通させて粘性材料の絞り出し可能なスリットを形成するものである。
【０００９】
このように、攪拌装置に絞り出し手段を設けることで、攪拌装置と共に絞り出し手段を移動させることが出来、作業性を向上させることが出来るものである。
【発明の効果】
【００１０】
この発明は、上記のように攪拌装置の攪拌手段に、フィルムパックされた粘性材料を絞り出す絞り出し手段を設けたので、以下のような優れた効果を奏するものである。
（ａ）．攪拌装置と共に絞り出し手段を移動させることが出来、作業性を向上させることが出来る。
（ｂ）．作業現場においてフィルムパックから粘性材料等を効率良く、しかも確実に絞り出して使い切ることが出来る。
（ｃ）．フィルムパック化出来ることにより、産業廃棄物削減にも大きく貢献することが出来る。
（ｄ）．攪拌装置は、どこの作業場でも２液性シーリング材を使用する場合には必要不可欠であるため、専用絞り出し機のように単独で持ち運ぶ必要はなく、従って絞り出し機を忘れて作業が出来なくなると言うこともない。
【発明を実施するための最良の形態】
【００１１】
以下、添付図面に基づき、この発明の実施形態を説明する。なお、従来例と同一構成要素は、同一符号を付して説明は省略する。
【００１２】
図１は、この発明の実施形態を示す攪拌手段の正面図、図２は図１の側面図、図３は図１の平面図を示し、前記攪拌手段１０には、フィルムパック１１に封入された粘性材料Ｗを絞り出す絞り出し手段１２が設けてある。
【００１３】
前記絞り出し手段１２は、支持軸１３と一体的に形成されたフィルムパック１１の支持ベース部材１４と、この支持ベース部材１４に一端側がヒンジ部１５を介して水平方向に開閉可能な挟持部材１６とで構成してあり、挟持部材１６の他端側には、支持ベース部材１４に対して挟持部材１６を固定する止めがね１７が取付けられている。なお、この実施形態では、挟持部材１６として、支持軸１８に回転可能に挿通されたローラ１９により構成してある。また、６は従来と同様な支持軸１３に固定された攪拌翼を示している。
【００１４】
第１実施形態の絞り出し手段１２は、上記のように構成され、フィルムパック１１に封入された粘性材料Ｗを絞り出す際には、フィルムパック１１の一端側（上端末部近傍）を支持ベース部材１４と挟持部材１６としてのローラ１９との間に挟持させた状態で吊り下げ、フィルムパック１１の他端側をカッター等の切断手段により開封させると、封入された粘性材料Ｗは自重により回転テーブル４上の容器３内に落下し、更に支持ベース部材１４とローラ１９とから突出したフィルムパック１１の一端側を作業者が上方に引っ張り上げることで、支持ベース部材１４とローラ１９との間でフィルムパック１１内の粘性材料Ｗは絞り出される。
【００１５】
粘性材料Ｗが絞り出されフィルムパック１１のシートは、そのまま、またはローラ１９を固定する止めがね１７を外して支持ベース部材１４から開放させることにより簡単に、しかも手等を粘性材料Ｗで汚すことなく取出すことが出来る。
【００１６】
図４〜図７は、絞り出し手段１２の第２実施形態を示し、この実施形態は、支持軸１３と一体的に形成されたフィルムパック１１の支持ベース部材１４の側面に、図４〜図６に示すような板バネ材料等により開閉可能なクリップ状に形成した絞り出し金具２０を着脱可能に取付けるための断面凹状のフック２１ａ，２１ｂが取付けられている。
【００１７】
前記絞り出し金具２０は、図７に示すように二枚の板状または棒状のバネ材料２０ａ，２０ｂにより構成され、このバネ材料２０ａ，２０ｂの一端は連結固定され、この連結固定された側に山状に形成された開閉操作部２１を形成し、この開閉操作部２１から他端側に向かって交差し、かつフィルムパック１１を開閉可能に挟持する直線状の挟持部２２が形成されている。
【００１８】
そして、この第２実施形態においてフィルムパック１１に封入された粘性材料Ｗを絞り出す際には、前記絞り出し金具２０のバネ材料２０ａ，２０ｂから成る開閉操作部２１を矢印方向に押圧すると、直線状の挟持部２２が矢印方向に開放し、この間にフィルムパック１１の一端側（上端末部近傍）を板ばねの弾性力により挟持させる。そして、絞り出し金具２０を前記断面凹状のフック２１ａ，２１ｂに引っかけてフィルムパック１１を吊り下げ、図５に示すように、フィルムパック１１の他端側をカッター等の切断手段により開封させると、封入された粘性材料Ｗは自重により回転テーブル４上の容器３内に落下し、更に直線状の挟持部２２から突出したフィルムパック１１の一端側を作業者が上方に引っ張り上げることで、直線状の二枚の挟持部２２との間でフィルムパック１１内の粘性材料Ｗは絞り出される。
【００１９】
そして粘性材料Ｗが絞り出されフィルムパック１１のシートは、絞り出し金具２０を前記断面凹状のフック２１ａ，２１ｂから取外し、開閉操作部２１を押圧することで挟持部２２がフィルムパック１１のシートは開放されて廃棄される。
【００２０】
なお、その他の構成及び作用は上記第１実施形態と同様なので同一符号を付して説明は省略する。
【００２１】
図８〜図１０は、絞り出し手段１２の第３実施形態を示し、この実施形態は、支持軸１３と一体的に形成されたフィルムパック１１の支持ベース部材１４ａに、ピン２３を介して開閉する挟持部材２４を設け、支持ベース部材１４ａの下方には、攪拌翼６が固定されている。なお、挟持部材２４はピン２３等に設けたコイルバネ等により常時支持ベース部材１４ａ側に附勢されている。２５は操作用ピンを示している。
【００２２】
この第３実施形態においてフィルムパック１１に封入された粘性材料Ｗを絞り出す際には、挟持部材２４をピン２３を支点として操作用ピン２５により開放する方向に操作し、そして図９及び図１０に示すように、支持ベース部材１４ａと挟持部材２４との間に、フィルムパック１１の一端側（上端末部近傍）を挿入して挟持部材２４を閉じて挟持させる。
【００２３】
そして、フィルムパック１１の他端側をカッター等の切断手段により開封させると、封入された粘性材料Ｗは自重により回転テーブル４上の容器３内に落下し、更に支持ベース部材１４ａと挟持部材２４とから突出したフィルムパック１１の一端側を作業者が上方に引っ張り上げることで、支持ベース部材１４ａと挟持部材２４との間でフィルムパック１１内の粘性材料Ｗは絞り出される。
【００２４】
そして粘性材料Ｗが絞り出されフィルムパック１１のシートは、挟持部材２４をピン２３を支点として操作用ピン２５により開放する方向に操作して絞り出し手段１２から取外して廃棄するものである。
【００２５】
なお、その他の構成及び作用は上記第１実施形態と同様なので同一符号を付して説明は省略する。
【００２６】
図１１（ａ），（ｂ）〜図１４（ａ），（ｂ），（ｃ）は、絞り出し手段１２の第４実施形態〜第７実施形態を示し、この実施形態は、上記絞り出し手段１２の第１実施形態〜第３実施形態のように、支持軸１３に特別な部品等を具備させたり、形状を変化させることなく、フィルムパック１１から粘性材料Ｗを効率良く絞り出すことが出来るシンプルな構成としたものである。
【００２７】
即ち、この絞り出し手段１２の第４実施形態〜第７実施形態では、攪拌手段１０の支持軸１３の一部にフィルムパック１１を挿通させて粘性材料Ｗの絞り出し可能なスリット２６を形成したものである。具体的には、図１１（ａ），（ｂ）に示す第４実施形態では、鉛直な支持軸１３ａに支持軸１３ａと直交する向きにスリット２６を形成し、このスリット２６にフィルムパック１１の一端側を挿入すると共に、他端側をカッター等の切断手段により開封させ、前記挿入した一端側を作業者が引っ張ることで、フィルムパック１１内の粘性材料Ｗを絞り出すことが出来る。
【００２８】
この第４実施形態〜第７実施形態における絞り出し手段１２の一般的な使用方法としては、例えば、フィルムパック１１の開封前の粘性材料Ｗが略一杯に入っている状態では、フィルムパック１１の端末部を切断して開封し、絞り出し手段１２を使用することなくフィルムパック１１内の粘性材料Ｗを大まか（８〜９割程度）に絞り出す。
【００２９】
そして、大まかに絞り出したフィルムパック１１内に残存する（１〜２割程度）粘性材料Ｗは、フィルムパック１１内に付着すると共に、粘性があるため手動操作によりフィルムパック１１内の粘性材料Ｗを短時間に綺麗に絞り出すことが難しい。そこで、大まかに絞り出したフィルムパック１１を二つ折り、または四つ折りにした状態で、上記のように開口端末部側と反対側の端末部を絞り出し手段１２のスリット２６に挿通させて作業者が引っ張ることで、フィルムパック１１内の略全ての粘性材料Ｗを確実に絞り出すことが出来るものである。
【００３０】
従って、スリット２６の長さＬは、少なくともフィルムパック１１の幅で、スリット２６の幅ｔは、少なくともフィルムパック１１の厚さ以上でなければならず、フィルムパック１１の２倍以上の厚さが好ましく、２ｍｍ程度が最適である。
【００３１】
また、図１２（ａ），（ｂ）に示す第５実施形態では、水平な支持軸１３ｂに支持軸１３ａと平行にスリット２６を形成し、このスリット２６に水平方向からフィルムパック１１の一端側を挿入すると共に、他端側をカッター等の切断手段により開封させ、前記挿入した一端側を作業者が引っ張ることで、フィルムパック１１内の粘性材料Ｗを絞り出すことが出来る。  なお、その他の構成及び作用は上記第４実施形態と同様なので同一符号を付して説明は省略する。
【００３２】
また、図１３（ａ），（ｂ）に示す第６実施形態では、水平な支持軸１３ｂに支持軸１３ａと直交する向きにスリット２６を形成し、このスリット２６に下側からフィルムパック１１の一端側を挿入すると共に、他端側をカッター等の切断手段により開封させ、前記挿入した一端側を作業者が引っ張ることで、フィルムパック１１内の粘性材料Ｗを絞り出すことが出来る。
【００３３】
なお、その他の構成及び作用は上記第４実施形態と同様なので同一符号を付して説明は省略する。
【００３４】
また、図１４（ａ），（ｂ），（ｃ）に示す第７実施形態は、図１２（ａ），（ｂ）に示す第５実施形態の変形例を示し、この実施形態の場合には、絞り出す粘性材料Ｗを効率良く攪拌翼６上に落下させて絞り出すようにするため、スリット２６の位置を攪拌翼６側にオフセットさせて形成したものである。これにより、絞り出す粘性材料Ｗは常に容器３の中心側で絞り出す事が出来るものである。
【００３５】
なお、その他の構成及び作用は上記第４実施形態と同様なので同一符号を付して説明は省略する。
【００３６】
以上のように、この発明では攪拌装置の攪拌手段１０に、フィルムパックされた粘性材料Ｗを絞り出す絞り出し手段１２を設けたので、作業現場においてフィルムパック１１から粘性材料等を効率良く、しかも確実に絞り出して使い切ることが出来、また攪拌装置と共に絞り出し手段を移動させることが出来、作業性を向上させることが出来る。
【図面の簡単な説明】
【００３７】
【図１】この発明の第１実施形態を示す攪拌手段の正面図である。
【図２】図１の側面図である。
【図３】図１の平面図である。
【図４】この発明の第２実施形態を示す絞り出し手段の正面図である。
【図５】図４の側面図である。
【図６】図４の平面図である。
【図７】第２実施形態において使用する絞り出し金具の正面図である。
【図８】この発明の第３実施形態を示す絞り出し手段の正面図である。
【図９】第３実施形態でフィルムパックされた粘性材料を絞り出す工程の説明図である。
【図１０】図９の側面図である。
【図１１】（ａ）は絞り出し手段の第４実施形態の正面図、（ｂ）は第４実施形態でフィルムパックされた粘性材料を絞り出す工程の説明図である。
【図１２】（ａ）は絞り出し手段の第５実施形態の正面図、（ｂ）は第５実施形態でフィルムパックされた粘性材料を絞り出す工程の説明図である。
【図１３】（ａ）は絞り出し手段の第６実施形態の正面図、（ｂ）は第６実施形態でフィルムパックされた粘性材料を絞り出す工程の説明図である。
【図１４】（ａ）は絞り出し手段の第７実施形態の正面図、（ｂ），（ｃ）は第７実施形態でフィルムパックされた粘性材料を絞り出す工程の説明図である。
【図１５】従来の攪拌装置の斜視説明図である。
【符号の説明】
【００３８】
１  攪拌装置                  ２  支持台
３  容器                      ４  回転テーブル
５  支持軸                    ６  攪拌翼
７  攪拌手段                  Ｗ  粘性材料
１０  攪拌手段                １１  フィルムパック
１２  絞り出し手段            １３  支持軸
１３ａ  鉛直な支持軸          １３ｂ  水平な支持軸
１４  支持ベース部材          １５  ヒンジ部
１４ａ  支持ベース部材                                                            １６  挟持部材                １７  止めがね
１８  支持軸                  １９  ローラ
２０  絞り出し金具            ２０ａ，２０ｂ  バネ材料
２１  開閉操作部
２１ａ，２１ｂ  フック        ２２  挟持部
２２  挟持部                  ２３  ピン
２４  挟持部材                ２５  操作用ピン
２６  スリット
【図１】
2006282275.tif 000003
【図２】
2006282275.tif 000004
【図３】
2006282275.tif 000005
【図４】
2006282275.tif 000006
【図５】
2006282275.tif 000007
【図６】
2006282275.tif 000008
【図７】
2006282275.tif 000009
【図８】
2006282275.tif 000010
【図９】
2006282275.tif 000011
【図１０】
2006282275.tif 000012
【図１１】
2006282275.tif 000013
【図１２】
2006282275.tif 000014
【図１３】
2006282275.tif 000015
【図１４】
2006282275.tif 000016
【図１５】
2006282275.tif 000017